(57)【特許請求の範囲】
【請求項１】
複数の微細な黒点で構成されている地紋画像と前記地紋画像以外の他の画像とを有する原稿を、前記微細な黒点よりも低い解像度で読取って画像データに変換する原稿読取手段と、
前記微細な黒点よりも高い解像度で前記地紋画像を読取って地紋画像データに変換する地紋画像読取手段と、
前記画像データを解析して、前記地紋画像の位置情報と前記他の画像の他画像データとを求める読取画像データ解析手段と、
前記地紋画像データを解析して、前記地紋画像のコード情報を求める地紋画像解析手段と、
前記コード情報に対応した前記地紋画像を再構成し、この再構成した地紋画像を、前記位置情報に対応する位置に配置すると共に、前記他画像データに基づいて前記他の画像を重ねて印刷画像データを形成する印刷画像データ形成手段と、
印刷画像データに基づいて、前記再構成した地紋画像を記録媒体に形成する第１の画像形成手段と、
印刷画像データに基づいて、前記他の画像を前記記録媒体に形成する第２の画像形成手段と、
を備えることを特徴とする画像形成装置。
【請求項２】
前記読取画像データ解析手段は、
前記地紋画像部分の白レベルの範囲を算出し、前記画像データの画素の白レベルが前記地紋画像部分の白レベルの範囲に入るか否かによって、前記画素が前記地紋画像を含むか否かを判別し、前記地紋画像の前記位置情報を求めることを特徴とする請求項１記載の画像形成装置。
【請求項３】
前記地紋画像が所定の幅を有する矩形領域に印刷されている前記原稿において、
前記読取画像データ解析手段は、
前記地紋画像部分の白レベルの範囲を算出し、前記所定の幅において前記画像データの画素の白レベルが前記地紋画像部分の白レベルの範囲に入るか否かによって、前記画素が前記地紋画像を含むか否かを判別することを特徴とする請求項２記載の画像形成装置。
【請求項４】
前記読取画像データ解析手段は、
前記画像データの白色部分の白レベルから、前記地紋画像部分の白レベルの範囲を算出することを特徴とする請求項２又は３記載の画像形成装置。
【請求項５】
前記白色部分とは、前記画像データの余白部分であることを特徴とする請求項４記載の画像形成装置。
【請求項６】
前記印刷画像データ形成手段は、
前記地紋画像の前記位置情報に対応する前記画像データの画素に、前記画像データの白色部分の白レベルと前記地紋画像部分の白レベルとのコントラスト差を加算して、前記原稿の前記他の画像を得ることを特徴とする請求項１〜５のいずれか１項に記載の画像形成装置。
【請求項７】
前記第１の画像形成手段は、ブラックの発色剤を用いて前記地紋画像を前記記録媒体に形成し、
前記第２の画像形成手段は、イエローの発色剤、マゼンタの発色剤及びシアンの発色剤を用いて前記原稿の前記他の画像を前記記録媒体に重ねて形成することを特徴とする請求項１〜６のいずれか１項に記載の画像形成装置。
【請求項８】
前記ブラックの発色剤は、カーボンを含むブラックの現像剤であり、
前記イエローの発色剤は、カーボンを含まないイエローの現像剤であり、
前記マゼンタの発色剤は、カーボンを含まないマゼンタの現像剤であり、
前記シアンの発色剤は、カーボンを含まないシアンの現像剤であることを特徴とする請求項７記載の画像形成装置。
【請求項９】
前記地紋画像読取手段は、アノトペン又はグリッドスキャナを使用して前記地紋画像を読取ることを特徴とする請求項１〜８のいずれか１項に記載の画像形成装置。
【請求項１０】
複数の微細な黒点で構成されている地紋画像と、前記地紋画像の位置情報及びコード情報を有する代替コード情報が付与された代替コード画像と、前記地紋画像及び前記代替コード画像以外の他の画像と、を有する原稿を読取って画像データに変換する原稿読取手段と、
前記画像データを解析して、前記他の画像の他画像データを求める読取画像データ解析手段と、
前記画像データから前記代替コード画像のデータを解析して、前記代替コード情報を求める代替コード画像解析手段と、
前記代替コード情報から前記地紋画像の前記位置情報及び前記コード情報を読取る代替コード情報読取手段と、
前記コード情報に対応した前記地紋画像を再構成し、この再構成した地紋画像を、前記位置情報に対応する位置に配置すると共に、前記他画像データに基づいて前記他の画像を重ねて印刷画像データを形成する印刷画像データ形成手段と、
前記印刷画像データに基づいて、前記再構成した地紋画像を記録媒体に形成する第１の画像形成手段と、
前記印刷画像データに基づいて、前記他の画像を前記記録媒体に形成する第２の画像形成手段と、
を備えることを特徴とする画像形成装置。
【請求項１１】
前記代替コード画像は、２次元バーコードであるＱＲコード（登録商標）の画像、又は１次元バーコードであるＪＡＮコード、ＥＡＮコード、ＵＰＣコードのいずれか１つの画像であることを特徴とする請求項１０記載の画像形成装置。
【請求項１２】
前記代替コード画像は、文字列画像であり、
前記代替コード画像解析手段は、前記文字列画像を光学的に認識することによって前記代替コード情報を求めることを特徴とする請求項１０又は１１記載の画像形成装置。
【発明の詳細な説明】
【技術分野】
【０００１】
本発明は、記録媒体上に印刷画像を形成する画像形成装置、特に複写機、複合機、ファクシミリ等に関するものである。
【背景技術】
【０００２】
従来、画像形成装置では、コード化した情報を含んだドットである地紋画像を写真、イラスト、又は文字に重ね合わせて印刷するという技術が知られている。この地紋画像が記録されている記録媒体は、電子ペンと呼ばれている入力デバイス等によってコード化した情報を読み取り、その情報によって上位装置を動作させることが可能である。
【０００３】
特許文献１には、電子ペンにて筆跡データを検出するためのドットパターンを含んだ専用紙を安価な汎用プリンタで印刷することができる技術が記載されている。
【先行技術文献】
【特許文献】
【０００４】
【特許文献１】特開２００９−２８９２９３号公報
【発明の概要】
【発明が解決しようとする課題】
【０００５】
しかしながら、従来の画像形成装置では、印刷不良や書き損じ等で数枚の印刷帳票を追加で複写したい場合に、通常の複写動作では地紋画像を構成する微細なドットの位置が正確に再現できない。よって、画像形成装置の上位装置から印刷データを再度送信する必要があるという課題があった。
【０００６】
特に、地紋画像を構成する微細ドットを含んでいる印刷データがデータセンタ等のサーバーにて一元管理されている場合は、たとえ少部数の印刷であっても作業が煩雑になり、時間がかかるという課題があった。
【課題を解決するための手段】
【０００７】
本発明の画像形成装置は、複数の微細な黒点で構成されている地紋画像と前記地紋画像以外の他の画像とを有する原稿を、前記微細な黒点よりも低い解像度で読取って画像データに変換する原稿読取手段と、前記微細な黒点よりも高い解像度で前記地紋画像を読取って地紋画像データに変換する地紋画像読取手段と、前記画像データを解析して、前記地紋画像の位置情報と前記他の画像の他画像データとを求める読取画像データ解析手段と、前記地紋画像データを解析して、前記地紋画像のコード情報を求める地紋画像解析手段と、前記コード情報に対応した前記地紋画像を再構成し、この再構成した地紋画像を、前記位置情報に対応する位置に配置すると共に、前記他画像データに基づいて前記他の画像を重ねて印刷画像データを形成する印刷画像データ形成手段と、印刷画像データに基づいて、前記再構成した地紋画像を記録媒体に形成する第１の画像形成手段と、印刷画像データに基づいて、前記他の画像を前記記録媒体に形成する第２の画像形成手段と、を備えることを特徴とする。
本発明の他の画像形成装置は、複数の微細な黒点で構成されている地紋画像と、前記地紋画像の位置情報及びコード情報を有する代替コード情報が付与された代替コード画像と、前記地紋画像及び前記代替コード画像以外の他の画像と、を有する原稿を読取って画像データに変換する原稿読取手段と、前記画像データを解析して、前記他の画像の他画像データを求める読取画像データ解析手段と、前記画像データから前記代替コード画像のデータを解析して、前記代替コード情報を求める代替コード画像解析手段と、前記代替コード情報から前記地紋画像の前記位置情報及び前記コード情報を読取る代替コード情報読取手段と、前記コード情報に対応した前記地紋画像を再構成し、この再構成した地紋画像を、前記位置情報に対応する位置に配置すると共に、前記他画像データに基づいて前記他の画像を重ねて印刷画像データを形成する印刷画像データ形成手段と、前記印刷画像データに基づいて、前記再構成した地紋画像を記録媒体に形成する第１の画像形成手段と、前記印刷画像データに基づいて、前記他の画像を前記記録媒体に形成する第２の画像形成手段と、を備えることを特徴とする。
【発明の効果】
【０００８】
本発明の画像形成装置によれば、通常の原稿読取手段では正確な読取りが不可能な複数の微細な黒点で構成されている地紋画像を含む原稿であっても、記録媒体に画像形成することが可能であるという効果を奏する。
【図面の簡単な説明】
【０００９】
【図１】図１は、本発明の実施例１における画像形成装置の制御部を示す概略の構成図である。
【図２】図２は、図１における画像形成装置を示す概略の構成図である。
【図３】図３は、本発明の実施例１における地紋画像付与済原稿を示す図である。
【図４】図４は、図３における地紋画像の部分拡大図である。
【図５】図５は、図３における地紋画像を示す概略の構成図である。
【図６】図６は、本発明の実施例１における地紋画像付与済原稿を示す図である。
【図７】図７は、図６における地紋画像付与済原稿の白レベルを示す図である。
【図８】図８は、図１におけるオペレーションパネル部を示す図である。
【図９】図９は、図１における地紋画像読取手段を示す図である。
【図１０】図１０は、本発明の実施例１における画像形成装置の原稿読取動作を示すフローチャートである。
【図１１】図１１は、本発明の実施例１における画像形成装置の印刷動作を示すフローチャートである。
【図１２】図１２は、印刷画像データ形成部の重ね合わせ画像の形成動作を示す図である。
【図１３】図１３は、印刷画像データ形成部の地紋画像の形成動作を示す図である。
【図１４】図１４は、本発明の実施例２における画像形成装置の制御部を示す概略の構成図である。
【図１５】図１５は、本発明の実施例２における代替コード画像付地紋画像付与済原稿を示す図である。
【図１６】図１６は、図１５における地紋画像を示す図である。
【図１７】図１７は、本発明の実施例２における画像形成装置の原稿読取動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、後述する図１における画像形成装置を示す概略の構成図である。
【００１２】
画像形成装置１は、例えば電子写真プリンタ方式による複合機であり、プリンタ部１０と、このプリンタ部１０に設けられているスタッカ部５４を覆うように上部に設けられているスキャナ部８０と、スキャナ部８０の端部に設けられているオペレーションパネル部９０と、画像形成装置１の全体を制御するマルチファンクションペリフェラル制御部（以下、「ＭＦＰ制御部」という。）７０と、このＭＦＰ制御部７０に接続されている地紋画像読取手段８５とを有している。
【００１３】
原稿読取手段であるスキャナ部８０は、載置された原稿を覆うカバー部８２と、載置された原稿を読取る印刷物読取部８１と、駆動ローラＡ及び従動ローラＢと、これらに張架されたベルトＣとを有している。印刷物読取部８１は、駆動ローラＡ及び従動ローラＢに張架されたベルトＣに固定されている。印刷物読取部８１は、ＭＦＰ制御部７０からの指示による駆動ローラＡの回転駆動に伴い、副走査方向Ｄに移動可能となっている。ここで主走査方向は、図２の紙面奥行き方向である。
【００１４】
プリンタ部１０は、給紙部１１と、画像形成部２０と、搬送部３０と、定着部４０と、排出部５０と、プリンタ制御部６０と、現像器制御部６１とを有している。
【００１５】
プリンタ制御部６０は、ＭＦＰ制御部７０に制御可能に接続されて、プリンタ部１０全体を制御する。現像器制御部６１は、プリンタ制御部６０に制御可能に接続され、画像形成部２０を制御する。
【００１６】
プリンタ部１０は、例えば印刷用紙である記録媒体１００を供給する給紙部１１と、記録媒体１００にトナー像を形成する画像形成部２０と、記録媒体１００にトナー像を定着させる定着部４０と、記録媒体１００を排紙する排出部５０と、排紙された記録媒体１００を収納するスタッカ部５４とを有している。更にプリンタ部１０は、各ローラ類を回すための図示しないモータと、搬送路１８のローラへの動力伝達のオン／オフするクラッチと、画像形成ユニット２２の帯電ローラ２４や転写ローラ２１等に２００Ｖ〜５０００Ｖの高電圧を供給する高圧電源と、回路やモータに５Ｖ直流や２４Ｖ直流を供給する低圧電源を有している。
【００１７】
用紙カセット１７は、記録媒体１００を格納する格納手段である。定着部４０は、記録媒体１００に熱を供給する定着手段である。給紙機構は、記録媒体１００を定着手段まで搬送する媒体搬送手段である。
【００１８】
給紙部１１は、このプリンタ部１０の下部に装着された用紙カセット１７と、用紙カセット１７に格納されている記録媒体１００と、用紙カセット１７内から分離用舌辺等を併用して１枚ずつ記録媒体１００を分離して取り出すためのピックアップローラ１２と、給紙ローラ１３ａ及びリタードローラ１３ｂと、給紙センサ１４と、一対のレジストローラ１５ａ，１５ｂと、書き出し位置センサ１６とを有している。
【００１９】
用紙カセット１７は、複数の記録媒体１００を格納するカセットであり、プリンタ部１０の下部に装抜可能に取り付けられている。記録媒体１００は、モノクロ又はカラーの画像を記録するための所定の大きさの上質紙、再生紙、光沢紙、マット紙、又はＯＨＰ（OverHead  Projector）フィルム等である。
【００２０】
ピックアップローラ１２は、記録媒体１００に圧接して回転し、搬送路１８の下流側には、給紙ローラ１３ａ及びリタードローラ１３ｂが記録媒体１００を挟むように対向して配設され、その下流側には給紙センサ１４が設けられている。
【００２１】
レジストローラ１５ａ，１５ｂは、給紙ローラ１３ａ及びリタードローラ１３ｂとの搬送路１８の下流側に記録媒体１００を挟むように対向して配設され、その下流側には書き出し位置センサ１６が設けられている。
【００２２】
レジストローラ１５ａは、図示しないレジストモータによって駆動される。
【００２３】
画像形成部２０は、図の右側から、ブラックの発色剤であるブラックのトナー像を形成するＢＫ地紋画像形成ユニット２２−１、イエローの発色剤であるイエローのトナー像を形成するＹ画像形成ユニット２２−２、マゼンタの発色剤であるマゼンタのトナー像を形成するＭ画像形成ユニット２２−３、シアンの発色剤であるシアンのトナー像を形成するＣ画像形成ユニット２２−４の順に４台配設され、これらの下にそれぞれ配設されている転写ローラ２１（＝２１−１〜２１−４）と、２つのローラ３２，３３と、このローラ３２，３３とに張架されている転写ベルト３１とを有している。ブラックに対応したＢＫ地紋画像形成ユニット２２−１と、イエローに対応したＹ画像形成ユニット２２−２と、マゼンタに対応したＭ画像形成ユニット２２−３と、シアンに対応したＣ画像形成ユニット２２−４には、画像情報にもとづく静電潜像を担持する感光ドラム２３、感光ドラム２３を帯電させる帯電ローラ２４、画像情報に対応した光を感光ドラム２３の表面に照射する発光ダイオード（以下「ＬＥＤ」という。）ヘッド２５、感光ドラム２３表面の静電潜像をトナーにより現像する現像ローラ２６、トナーを現像ローラ２６に供給する供給ローラ２７、分離可能なトナーカートリッジ２８、図示しないトナー規制部材、及び、感光ドラム２３に残留したトナーを書き落とす図示しないクリーニング装置を有している。転写ベルト３１は、記録媒体１００を搬送すると共に、感光ドラム２３に形成されたトナー像を記録媒体１００へ転写させる転写体である。転写ベルト３１を介して、感光ドラム２３と転写ローラ２１とは当接されている。画像形成部２０は、例えばトナー像である現像剤像を記録媒体１００上に現像する現像手段である。
【００２４】
ＢＫ地紋画像形成ユニット２２−１は、ブラックの発色剤を用いて地紋画像１１０を記録媒体１００に形成する第１の画像形成手段である。Ｙ画像形成ユニット２２−２、Ｍ画像形成ユニット２２−３、及びＣ画像形成ユニット２２−４は、イエローの発色剤、マゼンタの発色剤及びシアンの発色剤を用いて重ね合わせ画像１１１を記録媒体１００に重ねて形成する第２の画像形成手段である。
【００２５】
感光ドラム２３は、アルミニウム等から成る導電性基層の上に光導電層と電荷輸送層からなる感光層を備え、形状は円筒であり、回転可能に支持されて配設されている。感光ドラム２３は、帯電ローラ２４と、転写ローラ２１と、現像ローラ２６とが当接し、図示しないクリーニング装置の先端部が接触するよう配設されている。感光ドラム２３は、表面に電荷を蓄えることによって、トナー像を担持する像担持体として機能し、図の時計回りの方向に回転する。以下、画像形成ユニット２２の構成について感光ドラム２３の回転方向順に説明する。
【００２６】
帯電ローラ２４は、導電性の金属シャフトがシリコーン等の半導電性ゴムによって被覆され、形状は円筒であり、感光ドラム２３に圧接して回転可能に支持されて配設されている。帯電ローラ２４は、図示しない電源によって帯電し、感光ドラム２３に圧接して回転することにより、感光ドラム２３に所定の電圧を印加し、よって表面に一様に電荷を蓄える。
【００２７】
ＬＥＤヘッド２５は、複数のＬＥＤと、レンズアレイと、ＬＥＤ駆動素子とで構成され、感光ドラム２３の上方に配設されている。ＬＥＤヘッド２５は、画像情報に対応した光を感光ドラム２３の表面に照射し、感光ドラム２３の表面に静電潜像を形成する。
【００２８】
供給ローラ２７は、導電性を有する金属シャフトがゴムによって被覆されて作られ、形状は円筒であり、現像ローラ２６に当接するよう配設されている。供給ローラ２７は、図示しない電源によって帯電し、現像ローラ２６に圧接することにより、現像ローラ２６にトナーを供給する。
【００２９】
現像ローラ２６は、導電性を有する金属シャフトが半導電ウレタンゴム材等によって被覆されて作られ、形状は円筒であり、供給ローラ２７と感光ドラム２３とに当接し、図示しないトナー規制部材の先端部が接触するよう配設されている。現像ローラ２６は、図示しない電源によって耐電し、供給ローラ２７と圧接することによりトナーが供給される。
【００３０】
図示しないトナー規制部材は、ステンレス等で作られ、形状は板状であり、先端部が現像ローラ２６の表面に接触するよう配設されている。図示しないトナー規制部材は、現像ローラ２６の表面の一定量を越えたトナーを掻き取ることで、現像ローラ２６の表面に形成されるトナーの厚みを、常に均一となるように規制する。
【００３１】
図示しないクリーニング装置は、ゴム材等で作られ、形状は板状であり、先端部が感光ドラム２３の表面に接触するよう配設されている。図示しないクリーニング装置は、感光ドラム２３上に形成されたトナー像を記録媒体１００に転写した後において、感光ドラム２３に残留したトナーを掻き取ってクリーニングする。
【００３２】
定着部４０は、定着ローラ４１と、バックアップローラ４２と、温度検出センサ４３と、ハロゲンヒータ４４とを備えている。定着ローラ４１内部には、ハロゲンランプに代表されるハロゲンヒータ４４が配設されている。定着ローラ４１の上側には、サーミスタによって構成されている温度検出センサ４３が配置され、この定着ローラ４１の表面温度を検出する。定着部４０は、記録媒体１００を加圧加熱することによって、トナー像を定着させる定着手段である。
【００３３】
排出部５０は、用紙走行路センサ５１と、一対の排出ローラ５２ａ，５２ｂと、一対の排出ローラ５３ａ，５３ｂを備えている。排出ローラ５２ａ，５２ｂは、定着部４０の搬送路１８の下流側に記録媒体１００を挟むように、それぞれ対向して配設されている。排出ローラ５３ａ，５３ｂは、スタッカ部５４の直前に、記録媒体１００を挟むように、それぞれ対向して配設されている。排出ローラ５２ａ，５２ｂ，５３ａ，５３ｂは、それぞれ図示しないモータによって駆動される。
【００３４】
図１は、本発明の実施例１における画像形成装置の制御部を示す概略の構成図である。
【００３５】
画像形成装置１は、記録媒体１００に画像を形成する画像形成手段であるプリンタ部１０と、ＭＦＰ制御部７０と、原稿を読取って画像データを出力する原稿読取手段であるスキャナ部８０と、情報指示手段であるオペレーションパネル部９０と、地紋画像１１０を読取ってドット画像からなる地紋画像データを出力する地紋画像読取手段８５とを有している。ＭＦＰ制御部７０は、プリンタ部１０と、スキャナ部８０と、オペレーションパネル部９０と、地紋画像読取手段８５とに接続され、これら全体の制御を統括する。
【００３６】
ＭＦＰ制御部７０は、インタフェース部（以下、「Ｉ／Ｆ部」という。）７１と、読取画像データ解析部７２と、地紋画像解析手段である地紋画像解析部７３と、原稿白レベル記憶部７４と、地紋画像データ記憶部７５と、重ね合わせ画像データ記憶部７６と、ドットコード記憶部７７と、印刷画像データ形成手段である印刷画像データ形成部７８とを有している。本実施例１の地紋画像読取手段８５は、例えばグリッドスキャナであるが、アノトパターンを読み取るアノトペンであってもよい。
【００３７】
スキャナ部８０の出力側と、オペレーションパネル部９０の出力側と、地紋画像読取手段８５の出力側は、Ｉ／Ｆ部７１に接続されている。Ｉ／Ｆ部７１の出力側は、読取画像データ解析部７２と地紋画像解析部７３に接続されていると共に、プリンタ部１０のプリンタ制御部６０に接続されている。読取画像データ解析部７２の出力側は、原稿白レベル記憶部７４と、地紋画像データ記憶部７５と、重ね合わせ画像データ記憶部７６に接続されている。
【００３８】
地紋画像データ記憶部７５の出力側と、重ね合わせ画像データ記憶部７６の出力側は、印刷画像データ形成部７８に接続されている。地紋画像解析部７３の出力側は、ドットコード記憶部７７を介して印刷画像データ形成部７８に接続されている。印刷画像データ形成部７８の出力側は、プリンタ部１０のプリンタ制御部６０に接続されている。
【００３９】
プリンタ部１０は、給紙部１１と、画像形成部２０と、搬送部３０と、定着部４０と、排出部５０とを有している。画像形成部２０は、更に現像器制御部６１と、カーボンブラックを含むブラックのトナー像を形成するＢＫ地紋画像形成ユニット２２−１と、イエローのトナー像を形成するＹ画像形成ユニット２２−２と、マゼンタのトナー像を形成するＭ画像形成ユニット２２−３と、シアンのトナー像を形成するＣ画像形成ユニット２２−４とを有している。
【００４０】
プリンタ制御部６０には、ＭＦＰ制御部７０の出力側が接続されている。プリンタ制御部６０の出力側には、給紙部１１と、画像形成部２０の現像器制御部６１と、搬送部３０と、定着部４０と、排出部５０とが接続されている。現像器制御部６１の出力側には、ＢＫ地紋画像形成ユニット２２−１と、Ｙ画像形成ユニット２２−２と、Ｍ画像形成ユニット２２−３と、Ｃ画像形成ユニット２２−４とが接続されている。スキャナ部８０は、印刷物読取部８１を有しており、この印刷物読取部８１は、ＭＦＰ制御部７０のＩ／Ｆ部７１に接続されている。印刷物読取部８１は、地紋画像１１０を構成する微細な黒点よりも低い解像度で読取るため、地紋画像１１０の部分は一様な灰色として読み取られる。
【００４１】
オペレーションパネル部９０は、読取開始命令入力部９１と、印刷開始命令入力部９２と、読取画像情報表示部９３と、表示情報処理部９４とを有し、ＭＦＰ制御部７０のＩ／Ｆ部７１に接続されている。ＭＦＰ制御部７０のＩ／Ｆ部７１には更に、地紋画像読取手段８５が接続されている。
【００４２】
図３は、本発明の実施例１における地紋画像付与済原稿を示す図である。
地紋画像付与済原稿１０１は、記録媒体１００（１００−１）と、記録媒体１００（１００−１）の表面に印刷された複数の地紋画像１１０及び重ね合わせ画像１１１で構成されている。地紋画像付与済原稿１０１は、左上に地紋画像１１０−１の上に水が注がれているコップのアイコンを示す重ね合わせ画像１１１−１が印刷されている。その下側に地紋画像１１０−４に重ねて、ラケットのアイコンを示す重ね合わせ画像１１１−４が印刷されている。その下側に地紋画像１１０−６に重ねて、乗馬のアイコンを示す重ね合わせ画像１１１−６が印刷されている。
【００４３】
地紋画像付与済原稿１０１は更に、右上の「お知らせ」のメッセージの下側に地紋画像１１０−２に重ねて、表を示す重ね合わせ画像１１１−２が印刷されている。その下側に地紋画像１１０−３に重ねて、表を示す重ね合わせ画像１１１−３が印刷されている。その下に地紋画像１１０−５に重ねて、魚釣りのアイコンを示す重ね合わせ画像１１１−５が印刷されている。
【００４４】
地紋画像１１０−１の上に描かれている長方形の地紋画像１１０Ａは、後述する図４で示される部分を示すものであり、実際には長方形は印刷されていない。
【００４５】
図４は、図３における地紋画像の部分拡大図である。図４では、説明のため一点鎖線を記入しているが、実際には一点鎖線は印刷されていない。
【００４６】
本実施例１では、グリッドオンプットパターンの地紋画像１１０Ａの例を示している。グリッドオンプットパターンの地紋画像１１０Ａは、図４の一点鎖線の交点に等間隔に印刷されている格子状ドットと、格子状ドットに対して上下左右に僅かにずらして印刷されている情報ドットから構成されている。格子状ドットと情報ドットは、両方とも直径５０μの複数の黒色のドットである。格子状ドットに対する情報ドットの相対位置の関係によって、地紋画像１１０Ａには特定のコードが記録されている。
【００４７】
図５は、図３における地紋画像を示す概略の構成図である。
記録媒体１００の表面には、コード情報が付与された多数のドットがカーボンブラックを含むブラックのトナーにて形成された地紋画像１１０と、地紋画像１１０に重ね合わせてカーボンブラックを含まないイエローのトナー、マゼンタのトナー、シアンのトナーにて形成された重ね合わせ画像１１１が印刷されている。
【００４８】
図６は、本発明の実施例１における地紋画像付与済原稿を示す図である。
地紋画像付与済原稿１０１は、印刷されていない余白１１２を有している。図６に示されているＡ−Ａ線は余白１１２のみで構成されている。Ｂ−Ｂ線は、左右両端の余白１１２と、地紋画像１１０と、地紋画像１１０以外の部分で構成されている。Ｃ−Ｃ線は、左右両端の余白１１２と、地紋画像１１０と、地紋画像１１０内部の重ね合わせ画像１１１と、地紋画像１１０以外の部分で構成されている。余白１１２の白レベルはＢＬＷであり、地紋画像１１０及び重ね合わせ画像１１１が共に印刷されていない部分の白レベルもＢＬＷである。
【００４９】
図７（ａ）〜（ｃ）は、図６における地紋画像付与済原稿の白レベルを示す図であり、横軸は水平位置を、縦軸は白レベルを示している。
【００５０】
図７（ａ）は、図６のＡ−Ａ線における白レベルを示している。
図６のＡ−Ａ線は、全て上端の余白１１２が占めている。よってＡ−Ａ線における白レベルは、原稿の白色部分の白レベルＢＬＷを示している。
【００５１】
図７（ｂ）は、図６のＢ−Ｂ線における白レベルを示している。
図７（ｂ）において、左右両端の余白１１２と、地紋画像１１０以外の部分は、原稿の白色部分の白レベルＢＬＷである。地紋画像１１０は主走査方向長さＷ１の範囲を占めており、低解像度の印刷物読取部８１によって、一様な灰色として読み取られている。地紋画像１１０が占めている主走査方向の長さＷ１の範囲の画素の白レベルは、原稿の白色部分の白レベルＢＬＷより、地紋画像１１０による輝度低下分ΔＢＬ分だけ低い値であり、且つ地紋画像１１０部分の白レベル範囲ＢＬＤ１〜ＢＬＤ２に入る。
【００５２】
このとき、Ｂ−Ｂ線を含むライン及びＢ−Ｂ線を含むラインにおける主走査方向の長さＷ１の範囲の画素は地紋画像１１０を含んでいると判断される。地紋画像１１０による輝度低下分ΔＢＬとは、余白１１２と地紋画像１１０とのコントラスト差であり、白レベル範囲ＢＬＤ１〜ＢＬＤ２は、原稿の白色部分の白レベルＢＬＷから、地紋画像１１０による輝度低下分ΔＢＬを減じ、更に誤差範囲を加味して算出される。具体的には、原稿の白色部分の白レベルＢＬＷから、地紋画像１１０を構成する複数の微細な黒点の密度に対応するコントラストを引いて算出される。
【００５３】
判定を簡略化するため、地紋画像１１０部分の白レベル範囲ＢＬＤ１〜ＢＬＤ２を有する画素は、地紋画像１１０を含んでいると判断してもよい。
【００５４】
図７（ｃ）は、図６のＣ−Ｃ線における白レベルを示している。
図７（ｃ）において、左右両端の余白１１２と、地紋画像１１０以外の印刷されていない部分は、原稿の白色部分の白レベルＢＬＷである。地紋画像１１０は主走査方向長さＷ１の範囲を占め、且つ重ね合わせ画像１１１を中央に含んでいる。重ね合わせ画像１１１が含まれているため、白レベルがさらに低下している画素が一部存在するが、地紋画像１１０が占めている主走査方向の長さＷ１において地紋画像１１０部分の白レベル範囲ＢＬＤ１〜ＢＬＤ２を含む。このとき、Ｃ−Ｃ線を含むライン、及びＢ−Ｂ線を含むラインにおける主走査方向の長さＷ１の範囲の画素は、地紋画像１１０を含んでいると判断される。
【００５５】
判定を簡略化するため、図７（ｂ）と同様に、地紋画像１１０部分の白レベル範囲ＢＬＤ１〜ＢＬＤ２を有する画素は、地紋画像１１０を含んでいると判断してもよい。
【００５６】
図８は、図１におけるオペレーションパネル部を示す図である。
オペレーションパネル部９０は、例えばボタンである読取開始命令入力部９１及び印刷開始命令入力部９２と、例えば液晶表示装置である読取画像情報表示部９３とを有している。読取画像情報表示部９３の左上側には、プレビュー画像１２０が表示されている。この時、プレビュー画像１２０には原稿内の地紋画像１１０の位置が枠で表示され、それぞれの地紋画像１１０には（１）〜（６）の番号が付与されて表示されている。オペレーションパネル部９０は、画像データ及び地紋画像１１０の位置情報を表示する原稿情報表示手段であり、且つ地紋画像１１０の位置情報とコード情報とを関連付ける情報指示手段である。
【００５７】
図９は、図１における地紋画像読取手段を示す図である。
図１に示すように、ＭＦＰ制御部７０のＩ／Ｆ部７１には、地紋画像読取手段８５が電気的に接続されている。地紋画像読取手段８５は、赤外光を照射するＬＥＤ光源８６（＝８６−１，８６−２）と撮像素子８７を備え、印刷物の表面に印刷された地紋画像１１０を読取る機能を有している。
【００５８】
地紋画像１１０を構成するドットは、カーボンブラックを含むブラックの現像剤１３０で形成されている。重ね合わせ画像１１１は、カーボンブラックを含まないイエローの現像剤１３１−１、マゼンタの現像剤１３１−２、及びシアンの現像剤１３１−３で形成されている。ＬＥＤ光源８６から照射される赤外光は、重ね合わせ画像１１１を透過して地紋のドットのみで吸収されるので、撮像素子８７は、観察領域の重ね合わせ画像１１１の有無に関わらず、地紋画像１１０を構成するドットのみが撮像される。
【００５９】
撮像された地紋画像１１０のドット画像からなる地紋画像データは、ＭＦＰ制御部７０の地紋画像解析部７３へ転送され、格子状ドットと情報ドットとの相対位置の関係により地紋画像１１０に含まれているコードを検出できる。
【００６０】
（実施例１の動作）
図２を元に、スキャナ部８０のスキャン動作について説明する。
【００６１】
スキャナ部８０のカバー部８２が開けられると、原稿を印刷物読取部８１の上に載置することができる。オペレーションパネル部９０の読取開始命令入力部９１を操作すると、読取開始命令がＭＦＰ制御部７０に送信される。ＭＦＰ制御部７０は、スキャナ部８０及び印刷物読取部８１に対して読取開始を命令すると共に、駆動ローラＡを駆動する図示しないモータに回転駆動を指示して印刷物読取部８１を副走査方向Ｄに移動させ、印刷物読取部８１上に載置された原稿を読取る。
【００６２】
図１０は、本発明の実施例１における画像形成装置の原稿読取動作を示すフローチャートである。
【００６３】
読取開始命令が入力され、処理が開始すると、スキャナ部８０は、ステップＳ１において、原稿サイズとセンサの解像度から副走査長ライン数Ｎを設定し、ステップＳ２において、読取済ラインカウントｎを０に設定する。
【００６４】
スキャナ部８０は、ステップＳ３において１ラインを読取り、ステップＳ４において読取ったラインデータＬＴを読取画像データ解析部７２へ転送し、ステップＳ５において読取済ラインカウントｎに１を加える。
【００６５】
ステップＳ６において、読取画像データ解析部７２は、読取済ラインカウントｎを判定する。読取済ラインカウントｎが余白１１２の副走査方向におけるライン数Ｔよりも小さいならば、ステップＳ７の処理を行い、読取済ラインカウントｎがＴと等しいならば、ステップＳ８の処理を行う。読取済ラインカウントｎがＴよりも大きく且つ副走査長ライン数Ｎよりも小さいならば、ステップＳ９の処理を行い、読取済ラインカウントｎが副走査長ライン数Ｎと等しいならば、図１０の処理を終了する。
【００６６】
ステップＳ７において、読取画像データ解析部７２は、ラインデータＬＴを原稿白レベル記憶部７４へ転送し、ステップＳ３の処理に戻る。
【００６７】
ステップＳ８において、読取画像データ解析部７２は、原稿白レベル記憶部７４に記憶されたラインデータＬＴ１〜ＬＴｎの白レベルを平均し、原稿の白色部分の白レベルＢＬＷを算出する。原稿の白色部分の白レベルＢＬＷと地紋画像１１０を構成するドット密度から、地紋画像１１０による輝度低下分ΔＢＬと、地紋画像１１０の白レベル範囲ＢＬＤ１〜ＢＬＤ２を算出し、ステップＳ３の処理に戻る。
【００６８】
ステップＳ９において、ラインデータは地紋画像１１０の白レベル範囲ＢＬＤ１〜ＢＬＤ２を含むラインか否かを判定する。地紋画像１１０を含む場合は、地紋画像データ記憶部７５にラインデータを転送し、ステップＳ３の処理に戻る。地紋画像１１０を含まない場合は、重ね合わせ画像データ記憶部７６にラインデータを転送し、ステップＳ３の処理に戻る。
【００６９】
図１１は、本発明の実施例１における画像形成装置の印刷動作を示すフローチャートである。
【００７０】
処理が開始すると、画像形成装置１は、ステップＳ２０において、図８に示す画面を表示する。
【００７１】
ステップＳ２１において、画像形成装置１は入力待ち状態となる。入力がコードナンバーの指定であった場合には、ステップＳ２２の処理を行い、入力がコードエリアの読取りであった場合には、ステップＳ２３の処理を行い、入力が印刷開始指示であった場合には、ステップＳ２４の処理を行う。
【００７２】
ステップＳ２２において、画像形成装置１は「コードエリア（指定コードナンバー）の位置を地紋画像読取手段８５で読取ってください。」を表示し、ステップＳ２１の処理に戻る。ステップＳ２３において、画像形成装置１は読取ったコードを表示し、ステップＳ２１の処理に戻る。ステップＳ２４において、全コードエリアは読取済みか否かを判定する。読取済みでなかったならば、ステップＳ２１の処理に戻る。読取済みであったならば、ステップＳ２６において各コードエリアに地紋画像１１０を有している画像を印刷する。
【００７３】
図１２は、印刷画像データ形成部の重ね合わせ画像の形成動作を示す図である。
オペレータが印刷開始命令入力部９２を押下し、且つ全コードエリアは読取済みであったならば、ＭＦＰ制御部７０の印刷画像データ形成部７８は、地紋画像付与済原稿１０１の複写のための印刷を開始する。
【００７４】
処理Ｗ１において、印刷画像データ形成部７８は、地紋画像データ記憶部７５から地紋画像１１０を含むラインデータＬＤ１〜ＬＤｎを呼び出す。ラインデータＬＤ１〜ＬＤｎには、地紋画像１１０部分の白レベル範囲ＢＬＤ１〜ＢＬＤ２の画素が含まれている。
【００７５】
処理Ｗ２において、印刷画像データ形成部７８は、地紋画像１１０に対応する位置の画素に、地紋画像１１０による輝度低下分ΔＢＬを加算し、処理Ｗ３において、ラインデータＬＭ１〜ＬＭｎを作成する。地紋画像１１０による輝度低下分ΔＢＬは、原稿の白色部分の白レベルＢＬＷと地紋画像１１０部分の白レベル（ＢＬＷ−ΔＢＬ）である。ラインデータＬＭ１〜ＬＭｎは、地紋画像１１０以外の重ね合わせ画像１１１である。
【００７６】
更に、重ね合わせ画像データ記憶部７６から地紋画像１１０を含まないラインデータを呼び出し、新しいラインデータＬＭ１〜ＬＭｎと合成して、印刷画像１ページ分の重ね合わせ画像１１１の印刷データとして、プリンタ制御部６０へ転送する。
【００７７】
図１３は、印刷画像データ形成部の地紋画像の形成動作を示す図である。
処理Ｗ１において、印刷画像データ形成部７８は、地紋画像データ記憶部７５から地紋画像１１０を含むラインデータＬＤ１〜ＬＤｎを呼び出し、処理Ｗ１２において、地紋画像データ記憶部７５から各地紋画像１１０の位置情報を呼び出す。処理Ｗ１３において、ドットコード記憶部７７から各地紋画像１１０のコード情報を呼び出し、処理Ｗ１４において、各コード情報に対応した地紋画像１１０を再構成する。処理Ｗ１５において、処理Ｗ１４で生成した各地紋画像１１０を処理Ｗ１２で生成した位置に配置してラインデータＬＭ１〜ＬＭｎを作成する。作成したラインデータＬＭ１〜ＬＭｎを、印刷画像１ページ分の地紋画像１１０として、プリンタ制御部６０へ転送する。
【００７８】
地紋画像１１０と重ね合わせ画像１１１の印刷データがプリンタ制御部６０に転送完了すると、プリンタ制御部６０は、プリンタ部１０において記録媒体１００に印刷を開始する。以下、図２を元に、プリンタ部１０の印刷動作について説明する。
【００７９】
記録媒体１００は、搬送路１８に沿って上流側から下流側に搬送される。用紙カセット１７が最も上流側で、スタッカ部５４が最も下流側である。
【００８０】
プリンタ部１０は、ＭＦＰ制御部７０に接続されている。このＭＦＰ制御部７０から印刷データの転送を受け印刷の指示を受けると、図示しないピックアップモータがピックアップローラ１２を回転させ、複数の記録媒体１００を１枚ずつ分離して、搬送路１８の下流側に送る。図の右側から４台配設されているブラックに対応したＢＫ地紋画像形成ユニット２２−１と、イエローに対応したＹ画像形成ユニット２２−２と、マゼンタに対応したＭ画像形成ユニット２２−３と、シアンに対応したＣ画像形成ユニット２２−４は、給紙開始とほぼ同時にローラ類の回転を開始し，感光ドラム２３に記録媒体１００が到達するまでに、この感光ドラム２３を１周以上回転させる。
【００８１】
図示しないモータが給紙ローラ１３ａを回転させると、給紙ローラ１３ａに接触しているリタードローラ１３ｂは連れ回りする。ピックアップローラ１２から搬送されてきた記録媒体１００は、給紙ローラ１３ａとリタードローラ１３ｂに挟持搬送され、給紙センサ１４をオンする。そののち、搬送路１８の下流側のレジストローラ１５ａ，１５ｂに搬送される。記録媒体１００は、書き出し位置センサ１６をオンする。書き出し位置センサ１６がオンしたあと一定時間後に、ブラックに対応したＢＫ地紋画像形成ユニット２２−１と、イエローに対応したＹ画像形成ユニット２２−２と、マゼンタに対応したＭ画像形成ユニット２２−３と、シアンに対応したＣ画像形成ユニット２２−４は、それぞれＬＥＤヘッド２５が露光を開始し、それぞれの色に対応した静電潜像を感光ドラム２３上に形成する。
【００８２】
本実施例１では、カーボンブラックを含むブラックのトナーに対応したＢＫ地紋画像形成ユニット２２−１は、地紋画像１１０に係る静電潜像を感光ドラム２３上に形成する。イエローのトナーに対応したＹ画像形成ユニット２２−２と、マゼンタのトナーに対応したＭ画像形成ユニット２２−３と、シアンのトナーに対応したＣ画像形成ユニット２２−４とは、重ね合わせ画像１１１に係る静電潜像を感光ドラム２３上に形成する。
【００８３】
図示しないレジストモータがレジストローラ１５ａを回転させると、レジストローラ１５ｂは接触して連れ回りすると共に、記録媒体１００を、搬送路１８の下流側の転写ベルト３１に搬送する。ローラ３２が回転すると、ローラ３２，３３に張架されている転写ベルト３１は搬送路１８に沿って駆動される。記録媒体１００は、転写ベルト３１の駆動によって、ブラックに対応したＢＫ地紋画像形成ユニット２２−１と、イエローに対応したＹ画像形成ユニット２２−２と、マゼンタに対応したＭ画像形成ユニット２２−３と、シアンに対応したＣ画像形成ユニット２２−４とに順に搬送される。
【００８４】
ブラックに対応したＢＫ地紋画像形成ユニット２２−１と、イエローに対応したＹ画像形成ユニット２２−２と、マゼンタに対応したＭ画像形成ユニット２２−３と、シアンに対応したＣ画像形成ユニット２２−４とが有している感光ドラム２３は、時計方向に回転すると共に、最初に帯電ローラ２４によって表面が一様に帯電する。一様に帯電した感光ドラム２３は、ＬＥＤヘッド２５によってＭＦＰ制御部７０から受信した画像情報に基づく光を照射され、静電潜像を形成する。静電潜像を形成した感光ドラム２３は、供給ローラ２７と現像ローラ２６によってトナー像を現像する。トナー像を現像した感光ドラム２３は、転写ローラ２１と共に転写ベルト３１と記録媒体１００を挟持搬送すると共に、転写ローラ２１に印加された約＋３０００Ｖの電圧により、感光ドラム２３上のトナーを記録媒体１００側に引き寄せ、トナー像の記録媒体１００へ転写する。トナー像が転写された記録媒体１００は、定着部４０に送られてトナー像を定着する。感光ドラム２３上に残留したトナーは、図示しないクリーニング装置によって掻き取られ、新たなトナー像の形成に備えられる。
【００８５】
ブラック（ＢＫ）、イエロー（Ｙ）、マゼンタ（Ｍ）、シアン（Ｃ）４色の各トナー像が転写された記録媒体１００は、定着部４０において定着ローラ４１とバックアップローラ４２によって形成されたニップ領域を挟持搬送される。記録媒体１００は、ニップ領域において定着ローラ４１の熱と、バックアップローラ４２の付勢力による圧力が加えられ、トナーが溶融することによってトナー像が定着する。
【００８６】
トナー像が定着した記録媒体１００は、用紙走行路センサ５１によって記録媒体１００の先端が検出され、排出ローラ５２ａ，５２ｂの回転と、排出ローラ５３ａ，５３ｂの回転よって搬送される。搬送された記録媒体１００は、スタッカ部５４に排出される。
【００８７】
（実施例１の効果）
本実施例１の画像形成装置１によれば、原稿の余白１１２と地紋画像１１０のコントラスト差から地紋画像１１０が印刷された位置を検出し、地紋画像１１０に付与されたコード情報と前記位置情報を関連付けた後に複写画像を印刷する構成にしている。
【００８８】
この構成により、通常のスキャナでは正確な読取りが不可能な微細ドットによる地紋画像１１０を含む地紋画像付与済原稿１０１であっても、地紋画像付与済原稿１０１を複写できる効果を奏する。
【００８９】
更に、読み取った地紋画像付与済原稿１０１のうち、地紋画像１１０が形成された領域内における重ね合わせ画像１１１の読取時の輝度低下を考慮して、複写時に画像形成する地紋画像１１０が形成される領域内の重ね合わせ画像１１１の輝度を補正して画像形成することで、複写による重ね合わせ画像１１１の劣化を防止する効果を奏する。
【実施例２】
【００９０】
（実施例２の構成）
図１４は、本発明の実施例２における画像形成装置の制御部を示す概略の構成図であり、実施例１を示す図１中の要素と共通の要素には共通の符号が付されている。
【００９１】
本実施例２における画像形成装置１Ａは、実施例１における画像形成装置１とは異なるＭＦＰ制御部７０Ａを有し、且つ地紋画像読取手段８５を有していない他は、実施例１における画像形成装置１と同様の構成を有している。
【００９２】
本実施例２におけるＭＦＰ制御部７０Ａは、実施例１におけるＭＦＰ制御部７０の地紋画像解析部７３の代わりに、代替コード画像解析部７９を有しており、ドットコード記憶部７７の代わりに、代替コード情報読取手段であるドットコード情報部７７Ａを有している他は、実施例１におけるＭＦＰ制御部７０と同様の構成を有している。代替コード画像解析部７９は、代替コード画像１１３のデータを解析して代替コード情報を読取る代替コード画像解析手段である。
【００９３】
図１５は、本発明の実施例２における代替コード画像付地紋画像付与済原稿を示す図である。
【００９４】
本実施例２における代替コード画像付地紋画像付与済原稿１０２は、コード情報が付与され、カーボンブラックを含むブラックのトナーで形成された地紋画像１１０及び代替コード画像１１３と、カーボンブラックを含まないイエロー・マゼンタ・シアンのトナーで形成された重ね合わせ画像１１１とが記録媒体１００上に構成されている。代替コード画像付地紋画像付与済原稿１０２には、ＱＲコードの画像である代替コード画像１１３が所定の幅Ｗ２の大きさでブラック色にて印刷されている。この代替コード画像１１３には、代替コード情報が付与されている。代替コード情報は、地紋画像１１０の位置情報とコード情報を有している。
【００９５】
地紋画像１１０の上に描かれている長方形の地紋画像１１０Ｂは、後述する図１６で示される部分を示すものであり、実際には長方形は印刷されていない。
【００９６】
図１６は、図１５における地紋画像を示す図である。なお説明のため基準となる格子を一点鎖線にて結んだ図としているが、実際には一点鎖線は印刷されていない。
【００９７】
本実施例２では、アノトパターンを例に説明する。アノトパターンは、所定間隔の格子から、上下左右に僅かにずらして印刷された直径１００μのドット群で構成されている。これらドット群の相対位置関係により、絶対座標で示される固有の位置情報が記録されている。これらのドット群を、電子ペンに格納されている撮像手段にて連続的に読取ることにより、この電子ペンの軌跡を時系列的に記録可能である。
【００９８】
（実施例２の動作）
図１７は、本発明の実施例２における画像形成装置の原稿読取動作を示すフローチャートであり、実施例１を示す図１０中の要素と共通の要素には共通の符号が付されている。
【００９９】
本実施例２の画像形成装置１Ａの原稿読取動作において、ステップＳ１〜Ｓ７の処理は、実施例１の画像形成装置１の原稿読取動作と同一である。ステップＳ８において、画像形成装置１Ａは、原稿の白色部分の白レベルＢＬＷを算出する。
【０１００】
ステップＳ９Ａにおいて、画像形成装置１Ａは、公知のＱＲコード認識方法によってラインデータがＱＲコードである代替コード画像１１３を含むか否かを判定する。代替コード画像１１３を含む場合は、ステップＳ１０Ａにおいて、代替コード画像解析部７９にラインデータを転送し、ステップＳ３の処理に戻る。代替コード画像１１３を含まない場合は、ステップＳ１１において、重ね合わせ画像データ記憶部７６にラインデータを転送し、ステップＳ３の処理に戻る。
【０１０１】
更に、ステップＳ６において、読取済ラインカウントｎが副走査長ライン数Ｎと等しいならば、ステップＳ１２において、重ね合わせ画像１１１のラインデータと代替コード画像１１３のラインデータを用いて、重ね合わせ画像１１１を形成する。ステップＳ１３において、代替コード画像１１３に含まれている代替コード情報に基づいて、地紋画像１１０を形成し、図１７の処理を終了する。
【０１０２】
印刷画像データ形成部７８は、印刷開始命令入力部９２の指示に従い、地紋画像１１０の印刷データ及び重ね合わせ画像１１１の印刷データをプリンタ制御部６０へと転送し、地紋画像１１０が付与された重ね合わせ画像１１１を記録媒体１００に印刷する。
【０１０３】
（実施例２の効果）
本実施例２の画像形成装置によれば、通常のスキャナで読取可能な代替コード画像１１３を予め印刷しておくことで地紋画像１１０のコード情報を認識することができ、専用の地紋画像読取手段８５が無くても地紋画像付与済原稿１０１の複写が可能となる。
【０１０４】
（変形例）
本発明は、上記実施例に限定されず、種々の利用形態や変形が可能である。この利用形態や変形例としては、例えば、次の（ａ）〜（ｄ）のようなものがある。
【０１０５】
（ａ）  実施例１、２では、地紋画像１１０を含む原稿の複写印刷方法について、電子写真プリンタ方式による複合機の例を使用して説明している。しかし、同様にインクジェット方式又は熱転写方式等による複合機や、プリンタ等の印刷装置と単体スキャナを組み合わせた印刷システムにも適用可能である。
【０１０６】
（ｂ）  実施例２では、代替コード画像１１３の付与手段として、例えばＱＲコードに代表される２次元バーコードを使用した例を説明した。しかし、これに限定されず、例えばＪＡＮコード、ＥＡＮコード、ＵＰＣコード等の１次元のバーコードや、文字列画像を光学的に認識する光学式文字読取装置（ＯＣＲ）等の方法でコードを認識してもよい。
【０１０７】
（ｃ）  実施例１では、地紋画像解析部７３は、画像データをライン毎に判断し、所定の幅以上において地紋画像１１０の白レベル範囲ＢＬＤ１〜ＢＬＤ２を含んでいるか否かを判断している。しかし、これに限定されず、画像データを複数のラインに亘って判断し、白レベル範囲ＢＬＤ１〜ＢＬＤ２から構成される矩形外縁部が有るか否かを判断し、その矩形外縁部で囲まれた領域が地紋画像１１０であると判断してもよい。これにより、画像データをライン毎に判断するよりも正しく地紋画像１１０の有無を判断できる。
【０１０８】
（ｄ）  実施例１、２では、余白１１２の副走査方向におけるライン数Ｔを予め定めておき、余白１１２に係るラインデータＬＴ１〜ＬＴｎの白レベルの平均値を原稿の白色部分の白レベルＢＬＷとしている。しかし、これに限定されず、余白１１２の副走査方向におけるライン数Ｔを予め定めず、画像データの解析によって余白１１２の領域を決定し、この余白１１２の領域に係る白レベルの平均値を原稿の白色部分の白レベルＢＬＷとしてもよい。これにより、余白１１２の副走査方向におけるライン数Ｔが定められていない任意の地紋画像付与済原稿１０１に対応可能となるという効果を奏する。
【０１０９】
（ｅ）  実施例１、２では、印刷物読取部８１と地紋画像読取手段８５とは、独立して設けられている。オペレーションパネル部９０に画像データ及び地紋画像１１０の位置情報を表示し、地紋画像読取手段８５でそれぞれの地紋画像１１０のコード情報を読み取らせている。しかし、これに限定されず、地紋画像読取手段８５は、印刷物読取部８１と同様にベルトＣに対して主走査方向に配列固定し、副走査方向Ｄに移動させる構成としても良い。この場合、地紋画像読取手段８５は、地紋画像付与済原稿１０１における地紋画像１１０の位置に対応した地紋画像１１０のコード情報を自動で読み取ることができる。よって、操作性が向上するという効果を奏する。
【符号の説明】
【０１１０】
１，１Ａ  画像形成装置
１０  プリンタ部
１１  給紙部
２０  画像形成部
２２−１  ＢＫ地紋画像形成ユニット
２２−２  Ｙ画像形成ユニット
２２−３  Ｍ画像形成ユニット
２２−４  Ｃ画像形成ユニット
３０  搬送部
４０  定着部
５０  排出部
６０  プリンタ制御部
７０，７０Ａ  ＭＦＰ制御部
７１  Ｉ／Ｆ部
７２  読取画像データ解析部
７３  地紋画像解析部
７４  原稿白レベル記憶部
７５  地紋画像データ記憶部
７６  重ね合わせ画像データ記憶部
７７  ドットコード記憶部
７７Ａ  ドットコード情報部
７８  印刷画像データ形成部
７９  代替コード画像解析部
８０  スキャナ部
８５  地紋画像読取手段
９０  オペレーションパネル部
１００  記録媒体
１０１  地紋画像付与済原稿
１０２  代替コード画像付地紋画像付与済原稿
１１０  地紋画像
１１１  重ね合わせ画像
１１２  余白
１１３  代替コード画像
１２０  プレビュー画像
【図１】
0005484241.tif 000002
【図２】
0005484241.tif 000003
【図３】
0005484241.tif 000004
【図４】
0005484241.tif 000005
【図５】
0005484241.tif 000006
【図６】
0005484241.tif 000007
【図７】
0005484241.tif 000008
【図８】
0005484241.tif 000009
【図９】
0005484241.tif 000010
【図１０】
0005484241.tif 000011
【図１１】
0005484241.tif 000012
【図１２】
0005484241.tif 000013
【図１３】
0005484241.tif 000014
【図１４】
0005484241.tif 000015
【図１５】
0005484241.tif 000016
【図１６】
0005484241.tif 000017
【図１７】
0005484241.tif 000018